(57)【要約】      （修正有）【課題】ゲーム機能の操作性向上、カメラ機能の操作性向上、収納箱の収納・引き出しを容易化する。【解決手段】一側上面に表示画面を有する本体側の筐体１と、この筐体１の裏側に一体に設けられ、かつ、両端面４ａ，４ｂにそれぞれ横長開口５，６を有する薄型収納箱４と、この収納箱４に設けられ、かつ、一方側に携帯電話機のボタン操作部７を有すると共に、他方側に該ボタン操作部７と一体の二次的機能部１５とを有するスライド操作部材Ｓとを備え、スライド操作部材は、ボタン操作部７又は二次的機能部１５の使用時、筐体１の前記横長開口側のいずれかにスライドして、ボタン操作部７は一方側の横長開口５から、一方、二次的機能部１５は反対側の横長開口６から選択的に突出することを特徴とする携帯電話機。【選択図】  図８
2007067892.tif 000002
【特許請求の範囲】
【請求項１】
一側上面に表示画面を有する本体側の筐体と、この筐体の裏側に一体に設けられ、かつ、両端面にそれぞれ横長開口を有する薄型収納箱と、この収納箱に設けられ、かつ、一方側に携帯電話機のボタン操作部を有すると共に、他方側に該ボタン操作部と一体の二次的機能部とを有するスライド操作部材とを備え、スライド操作部材は、ボタン操作部又は二次的機能部の使用時、筐体の前記横長開口側のいずれかにスライドして、ボタン操作部は一方側の横長開口から、一方、二次的機能部は反対側の横長開口から選択的に突出することを特徴とする携帯電話機。
【請求項２】
請求項１に於いて、二次的機能部は、表面にゲーム専用ボタンを有し、一方、裏面にカメラ機能用のレンズを有し、ボタン操作部の内端部に設けた中心軸を介して反転自在に連結されていることを特徴とする携帯電話機。
【請求項３】
請求項１に於いて、ボタン操作部の内端部には、収納箱の左右の内面に常時圧接する左右一対の係合片を有する付勢手段が設けられていることを特徴とする携帯電話機。
【請求項４】
請求項１に於いて、スライド操作部材を収納箱に収納した時、スライド操作部材の外端部は、筐体の側壁から多少食み出ていることを特徴とする携帯電話機。
【発明の詳細な説明】
【技術分野】
【０００１】
本発明は、カメラ機能を備える携帯電話機に関する。
【背景技術】
【０００２】
現在、携帯電話機に二次的機能が色々と付加されている。例えばゲーム機能やカメラ機能を備える携帯電話機を用いれば、色々なゲームを楽しんだり、また友人や自分の姿を静止画像または動画像として記録したりすることができるため非常に便利である。
【０００３】
さて、特許文献１には、「一側面に操作ボタンを有する操作部と、該操作部に連結部材（ヒンジ構造）を介して一側面に表示画面を有する表示部を折り畳可能に連結した携帯電話機に於いて、前記表示部を、中心軸を介して回転可能にした携帯電話機」が記載されている。この特許文献１に記載の発明の目的は、携帯電話機の不使用時であっても、表示画面を外側に向けて折り畳むことができるようにし、好きな表示画面を常に見えるようにすることである。
【０００４】
しかして、前記連結部材に形成された中心軸は、円錐大径形状の頭部の端面から軸方向にスリットを有すると共に、材質自体により弾性変形及び弾性復帰する機能を有し、かつ、前記頭部は表示部を形成する筐体の内端部に形成した嵌合孔に嵌入する。中心軸の頭部は周壁に係合爪を有することから、折り畳みの時、表示部を１８０度反転しても、該表示部はから外れない。
【０００５】
このように、特許文献１の連結部材（ヒンジ構造）は、簡単、かつ、合理的であるとしても、その発明の目的は、好きな表示画面を常に見えるようにすることのみであるから、電話機の一次的機能（通信機能）以外の二次的機能（ゲーム機能、カメラ機能等）を十分に発揮させ得るものではない。
【０００６】
一方、特許文献２には、「一側上面に表示画面を有するマッチ箱形状の表示部と、該表示部にオス・メス案内手段を介して引き出し及び押し込み自在に設けられ、かつ、一側上面に操作ボタンを有するケース状の操作部とから成る箱型携帯電話機」が記載されている。特許文献２は、多少厚みがあるという欠点はあるものの、不使用時、テンキーなどのボタン式スイッチ群（操作ボタン）を有する操作部を押し込み、表示部を筐体内に収納することができるから、機械的破損の恐れがないという利点がある。しかし、特許文献２は、前記操作部を表示部の筐体から進退動させるだけであるから、特許文献１と同様に、二次的機能（ゲーム機能、カメラ機能等）を十分に発揮させ得るものではない。
【特許文献１】特開２００２−１７１３１９号公報
【特許文献２】特開２００５−６５２０５号公報
【発明の開示】
【発明が解決しようとする課題】
【０００７】
本発明の第１の目的は、二次的機能としてのゲーム機能の操作性を向上させること。第２の目的は、ゲーム機能の操作性の向上と同時に、カメラ機能の操作性の向上も図ることができること。特に「自分撮り」を確実に実行することができること。第３の目的は、収納箱にスライド操作部材を収納した時、二次的機能部又はボタン操作部が不用意に収納箱からスライドして飛び出ないこと。第４の目的は、収納箱に、スライド操作部材を収納した時、収納箱から該スライド操作部材を容易に引き出すことができることである。
【課題を解決するための手段】
【０００８】
本発明の携帯電話機は、一側上面に表示画面を有する本体側の筐体と、この筐体の裏側に一体に設けられ、かつ、両端面にそれぞれ横長開口を有する薄型収納箱と、この収納箱に設けられ、かつ、一方側に携帯電話機のボタン操作部を有すると共に、他方側に該ボタン操作部と一体の二次的機能部とを有するスライド操作部材とを備え、スライド操作部材は、ボタン操作部又は二次的機能部の使用時、筐体の前記横長開口側のいずれかにスライドして、ボタン操作部は一方側の横長開口から、一方、二次的機能部は反対側の横長開口から選択的に突出することを特徴とする。
【発明の効果】
【０００９】
（１）請求項１に記載の発明は、スライド操作部材の二次的機能部１５を収納箱４から突出させ、ゲーム機能の操作性の向上を図ることができる。
（２）請求項２に記載の発明は、ゲーム機能の操作性の向上と同時にカメラ機能の操作性の向上も図ることができる。
（３）請求項３に記載の発明は、収納箱の内壁を圧接状態でスライドする付勢手段を設けたので、スライド操作部材Ｓを収納箱４に収納した時、スライド操作部材が不用意に収納箱から出ない。
（４）請求項４に記載の発明は、に、スライド操作部材を指で摘んで収納箱から容易に引き出すことができる。
【発明を実施するための最良の形態】
【００１０】
図１乃至図１１に示す本発明を実施するための最良の形態により説明する。図１は電話機の文字入力用操作ボタンが設けられたボタン操作部（以下、「操作部７」という。）及びゲーム用の操作ボタンが設けられた二次的機能部１５をそれぞれ有する長板状のスライド操作部材Ｓを、長箱状の電話機本体（以下、「筐体１」という。）の裏側に設けた長箱状の収納箱４に略収納した状態の斜視図である。
【００１１】
図２は、筐体１の上壁を切欠し、筐体１内部のスライド操作部材Ｓの収納状態を示す。これに対して、図５、図６は、操作部７を収納箱から引き出した状態の斜視図であり、一方、図７、図８は、二次的機能部１５を収納箱から引き出した状態の斜視図である。
【００１２】
例えば図５及び図７で示すように、本発明のスライド操作部材Ｓは、操作部７又は二次的機能部１５の使用時、筐体１の長手方向のいずれかにスライドして、操作部７は横長開口５から、一方、二次的機能部１５は横長開口６から選択的（交互）に突出する。
【００１３】
以下、本発明の特定要件について順次説明するが、細部的な事項は、図面及びその説明を割愛する。
【００１４】
（１）電話機Ｘの筐体１
Ｘは携帯電話機（以下、「電話機」という。）で、この電話機Ｘは、非折り畳み式であり、その外観形状は、薄型かつ長箱型である。電話機Ｘは、記憶部、制御部（画像制御部も含む）、入出力部等を備える薄型筐体（本体）１を有する。筐体１には、公知のように、一側上面に矩形状の表示画面２、メニュー選択用ファンクションキー、その他のファンクションキー等（以下、「本体操作ボタン３」という）が設けられている。筐体１は、薄型に形成され、また前記表示画面２は縦長或いは横長のワイド画面である。
【００１５】
（２）収納箱４
次に、電話機Ｘは、前記筐体１の他に薄型収納箱４を有する。本実施例では、収納箱４は筐体１の裏側に一体に設けられている。この収納箱４は、図４で示すように、筐体１と同一或いは同様の大きさ、形状、厚みをしている。筐体１と収納箱４は、金属又は合成樹脂材でそれぞれ別個に形成され、かつ、適宜に合体（結合）されている。特に図示しないが、この収納箱４は、筐体１の裏側に合体する前（製作段階）に於いて、単数又は左右一対の枠状の支持ケースとして二分割されている。二分割の部品の場合には、枠状支持ケースの接合端面を適宜に合わせ、かつ、筐体１の裏側に固定手段を介して固定すると、箱型の電話機Ｘの外観形状となる。もちろん、筐体１と収納箱４とを、予め「一体成形」しても良い。
【００１６】
（３）収納箱４の構造
さて、図１，図２で示すように、収納箱４の一つの側壁（図２では、下方の端面）４ａには操作部用横長開口５が形成されている。一方、収納箱４の反対側の側壁（図２では、上方の端面）４ｂには二次的機能部用横長開口６が形成されている。
【００１７】
二次的機能部１５の両端面にそれぞれ形成された横長開口５，６は、左右或いは上下対称である。またこれらの横長開口は、図４で示すように、筐体１の底面１ａの縁部（一辺）を含むことにより、横長矩形状の開口となっている。もちろん、横長開口は、前記底面１ａの縁部を含まず、収納箱４自体に形成しても良い。本実施例では、電話機Ｘの収納箱４を極力薄型にするために、図４で示す構造を採用している。
【００１８】
（４）操作部７のスライド筐体９
図２，図５等で示すように、７は一側上面に電話機の文字入力用の複数個の操作ボタン８を有する操作部で、この操作部７は筐体１よりも小型（薄型）のスライド筐体９を有し、該スライド筐体９は、収納箱４の操作部用横長開口５を介して出し入れ自在である。スライド筐体９は、符号を付さない二次的機能部１５のスライド筐体よりも長い（例えば図２で示すように２倍程度の長さ）。
【００１９】
本実施例では、スライド筐体９のやや弧状の外端部９ａに指を引っ掛けるための指掛け部分（例えば貫通状凹所）１０が形成されている。弧状外端部９ａ或いは指掛け部分１０は、スライド筐体９の収納時、収納箱４の側壁４ａ（開口５）から多少食み出ている（図１，図２参照）。
【００２０】
したがって、操作部７を収納箱４の一方の側壁端面４ａから所要量引き出す時は、例えば指掛け部分１０を指で摘んで引き出すことができ、これに対して、二次的機能部１５を収納箱４の他方の側壁端面４ｂから引き出す時は、前記弧状外端部９ａの外周面を指で軽く押し込んで、該スライド操作部材Ｓを多少スライドさせ、二次的機能部１５の外端部１５ａを一部突出させ、その後に収納箱４の側壁端面４ｂ（開口６）から該二次的機能部１５を指で摘み出す。
【００２１】
ところで、図２で示すように、収納箱４の長い方の左右の側壁４ｃ，４ｃの内壁面には、左右一対の案内手段或いは案内部分（例えば縦方向のスリット）１１が形成されている。これらの案内手段１１には、スライド筐体９の内端部９ｂの左右に設けられた付勢手段１２が係合する。付勢手段１２は、案内手段或いは案内部分１１に係合しながら摺接する係合片（例えば係合ピン）１２ａと、該係合片１２ａを案内部分１１に付勢する付勢バネ１２ｂを有している。
【００２２】
したがって、スライド操作部材Ｓは、案内手段及び係合片（縦方向のスリット、係合ピン等）１１，１２を介して、図面上、上下方向にスライドする。
【００２３】
なお、スライド操作部材Ｓが上下方向のいずれかにスライドした場合に於いて、スライド操作部材Ｓが収納箱４から外れないように、収納箱４の横長開口５，６の左右内壁には、ストッパー部分１３が設けられている。また、電話機Ｘの操作ボタン８の機能は、公知なので、詳細な説明を割愛する。
【００２４】
（５）二次的機能部１５の「ゲーム機能」
次に、本発明の二次的機能部１５は、少なくとも「ゲーム機能」を有する。電話機Ｘを「ゲーム機能」として使用する場合は、前述したようにスライド操作部材Ｓを操作し、収納箱４から二次的機能部１５を指で摘み出す。
【００２５】
図７及び図８は、二次的機能部１５をそのまま引き出した状態を示す。図７で示すように、二次的機能部１５の一側上面には、ゲーム用操作ボタン、ゲーム用ＯＮ，ＯＦＦ電源スイッチ等が設けられている。
【００２６】
しかして、１６は二次的機能部１５側に設けられたゲーム用電源ＯＮ，ＯＦＦスイッチで、この電源スイッチ１６は、本実施例では後述するカメラ用電源スイッチとは別個・独立に設けられている。
【００２７】
また、１７はゲームを楽しむための操作ボタンで、本実施例の操作ボタン１７は、中央部の大きなボタンと、複数個の小さいボタンとを含んでいる。
【００２８】
ところで、電話機Ｘは、「ゲーム機能」と「カメラ機能」の両方を有している。そこで、電話機Ｘの図示しない制御部は、ゲーム機として使用する場合には表示画面２を横型態様で、一方、「カメラ機能」として使用する場合には表示画面２を縦型態様で使用することができるように適宜に制御されている。表示画面２の制御方法は、本発明の限定要件ではないので、詳細な説明を省略するが、カメラ用電源スイッチを「ＯＮ」の状態に操作すると「カメラ機能」となり、一方、ゲーム用電源スイッチ１６は「ＯＮ」の状態に操作すると「ゲーム機能」となる（切換え機能）。
【００２９】
（６）二次的機能部１５の「カメラ機能」
二次的機能部１５は、裏側（反転した場合にはカメラ筐体の一側上面）の略中央にレンズ１８を有する。
【００３０】
ここで、図１１を参照にして説明すると、二次的機能部１５のレンズ１８が存在する一側上面（操作者から見える壁面）には、右側にカメラ用の電源をＯＮ・ＯＦＦするカメラスイッチボタン１９及びシャッターボタン２０が設けられ、一方、左側には、前記電源をＯＮにした後に使用可能である複数個のカメラ用ファンクションキー（以下、これを「カメラ操作ボタン２１」という）が設けられている。前記レンズ１８は、一側上面から突出しないように（傷を付けないように）、多少凹所内に位置するように設けられている。
【００３１】
したがって、二次的機能部１５は、本実施例では、表側にゲーム用の操作ボタン、ゲーム電源ＯＮ，ＯＦＦ用スイッチ等が設けられ（ゲーム機能）、一方、反転した裏側の一側上面には、カメラ用の操作ボタン、カメラ電源ＯＮ，ＯＦＦ用スイッチ等が設けられている（カメラ機能）。
【００３２】
カメラ機能については、公知なので、詳細な説明を割愛するが、本実施例では、記憶部、制御部等を内蔵する本体１は、カメラスイッチボタン１９を押して電源をＯＮにすると、その表示画面２にレンズ１８でとらえた被写体Ｐを表示する機能を有している（図１１参照）。
【００３３】
また、二次的機能部１５は、シャッターボタン２０を軽く半押しすると、「ピントを合わせる機能」を有している。もちろん、図示しない本体１の記憶部は、二次的機能部１５でレンズ１８を介して取得した被写体情報を一時的に格納する機能を有し、また制御部は、前記被写体情報にアクセスして撮影した画像を表示画面２に表示（画面確認）する機能等を有する。ここでは、被写体情報を処理するデータ構造や処理の仕方は、本発明の限定要件ではないので、詳細な説明を割愛する。本発明では、レンズ１８を自分に向け、いわゆる「自分撮り」を確実に実行することができる。
【００３４】
（７）二次的機能部１５の回転構造
二次的機能部１５は、収納箱４から完全に引き出した所で、二次的機能部１５とスライド筐体９を一体的に連結する中心軸２３を介して軸回りに反転する。
【００３５】
図１０を参照にして二次的機能部１５と操作部７との連結構造を説明する。
【００３６】
まず、前記中心軸２３の適宜箇所には、クリックバネ２４が巻装されている。クリックバネ２４は、操作部７（スライド筐体９）の内端部９ｂの壁面側に二次的機能部１５の内端部１５ｂの壁面が圧接するように常時付勢する。
【００３７】
したがって、例えば二次的機能部１５の内端部１５ｂの左右に位置決の用小凹所（被係合部）２５を形成し、一方、これらの小凹所２５にそれぞれ交互に係脱する小突起（係合部）２６を操作部７（スライド筐体９）の内端部９ｂの左右にそれぞれ設けている。
【００３８】
ところで、連結手段としての中心軸２３は、スライド筐体９の対向面（内壁面）９ｂの中央部に形成した嵌合部（例えば嵌合小孔）に嵌入している。また、中心軸２３は、円錐大径形状の頭部の端面から軸方向にスリットを有すると共に、材質自体により弾性変形及び弾性復帰する機能を有し、かつ、前記頭部はスライド筐体９の嵌合孔に嵌入すると、周壁に突出するように形成した係合爪が嵌合孔の周縁に係合することから、スライド筐体９と二次的機能部１５は一体的に連結されている。
【００３９】
（８）「ゲーム機能」と「カメラ機能」
図９は「ゲーム機能」として使用する場合の一例を示す。一方、図１１は「カメラ機能」として使用する場合の一例を示す。
【００４０】
まず、図９で示すように、電話機Ｘを横状態にして「ゲーム機能」として使用する場合には、ゲーム用電源スイッチ１６を「ＯＮ」にする。そうすると、ゲーム可能の環境になることから、図面上、左側に位置する二次的機能部１５のゲーム用操作ボタン１７と、右側に位置する本体操作ボタン３（ここでは、ゲーム用操作ボタンとしての機能も有するものとする。）を利用して所望のゲームを実行することができる。
【００４１】
次に、図１１で示すようにカメラ機能として使用する場合に於いて、「自分撮り」をしたい場合には、二次的機能部１５を指で摘んで「１８０度」反転させる。そして、カメラ電源用のスイッチボタン１９を押す。そうすると、被写体Ｐが表示画面２に表れるので、被写体Ｐを表示画面２で確認しながら、シャッター２０を適宜に押す。もちろん、二次的機能部１５のカメラ機能を普通一般に使用する場合（視線方向の被写体Ｐをそのまま撮影する場合）には、二次的機能部１５の裏側にレンズ１８が設けられているから、該二次的機能部１５を反転する必要はない。
【実施例】
【００４２】
本発明の実施例に於いて、スライド操作部材Ｓの操作部７を収納箱４の一方の側壁端面４ａから所要量引き出す時は、例えば指掛け部分１０を指で摘んで引き出すことができる。しかし、前記指掛け部分１０は、本発明の必須要件ではない。
【００４３】
また、収納箱４の一方の側壁端面４ｂ（一方の開口６）から二次的機能部１５を多少押し出すために、収納箱４の他方の側壁端面４ａ（他方の開口５）から操作部（スライド筐体９）７の弧状外端部９ａが多少食み出ているが、該弧状外端部９ａに代えて、収納箱４の左右側壁４ｃ，４ｃから多少突出する左右一対の操作突片（操作突片はスライド筐体９の内端部の左右にそれぞれ設けられている）にすることもできる。
【産業上の利用可能性】
【００４４】
本発明は、主に携帯電話機、デジタルカメラの製造・販売業界で利用される。
【図面の簡単な説明】
【００４５】
図１乃至図１１は本発明の第１実施例。
【図１】本発明の一例を示す斜視図。
【図２】筐体の上壁を切欠し、筐体内部のスライド操作部材Ｓの収納状態を示す概略説明図。
【図３】図１の３−３線概略断面説明図。
【図４】図１の４−４線概略断面説明図。
【図５】図１に於いて、操作部７を引き出した状態の斜視図。
【図６】図５に於いて、概略縦断面説明図。
【図７】図１に於いて、二次的機能部１５を引き出した状態の斜視図。
【図８】図７に於いて、概略縦断面説明図。
【図９】「ゲーム機能」として使用する場合の一例を示す説明図。
【図１０】スライド操作部材を構成する操作部７と二次的機能部１５との連結構造を示す概略説明図。
【図１１】「カメラ機能」として使用する場合の一例を示す概略説明図（特に、カメラ用電源スイッチをＯＮした状態の「自分撮り」の概略説明図）。
【符号の説明】
【００４６】
Ｘ…電話機、Ｐ…被写体、1…筐体、２…表示画面、３…本体操作ボタン、４…収納箱、４ａ…開口５側の端面、４ｂ…開口６側の端面、４ｃ…左右の側壁、５…操作部用横長開口、６…二次的機能部用横長開口、Ｓ…スライド操作部材、７…ボタン操作部、８…操作ボタン、９…スライド筐体、９ａ…外端部、９ｂ…内端部、１０…指掛け部分、１１…案内手段或いは案内部分、１２…付勢手段、１２ａ…係合片（係合ピン）、１２ｂ…付勢バネ、１３…ストッパー部分、１５…二次的機能部、１８…レンズ、１９…カメラ用電源スイッチボタン、２０…シャッターボタン、２１…カメラ操作ボタン、２３…中心軸、２４…クリックバネ、２５…被係合部、２６…係合部、１６…ゲーム用電源スイッチ、１７…ゲーム専用操作ボタン。
【図１】
2007067892.tif 000003
【図２】
2007067892.tif 000004
【図３】
2007067892.tif 000005
【図４】
2007067892.tif 000006
【図５】
2007067892.tif 000007
【図６】
2007067892.tif 000008
【図７】
2007067892.tif 000009
【図８】
2007067892.tif 000010
【図９】
2007067892.tif 000011
【図１０】
2007067892.tif 000012
【図１１】
2007067892.tif 000013